(57)【要約】【課題】タッチパネルを有する情報端末において、セキュリティレベルの向上を図るとともに、容易にロック解除のための操作が可能な情報端末を提供する。【解決手段】情報端末１は、タッチパネルＴを有し、タッチパネルに対して順次行われる複数の入力操作に関する操作情報を取得する取得部１１と、操作情報に基づき、各入力操作が所定入力操作のいずれかに該当するか否かを判定する判定部１２と、複数の入力操作からなる入力パターンが、時系列の複数の所定入力操作から成る認証パターンに該当するか否かを判断する認証部１４と、入力パターンが認証パターンに該当すると判断された場合に、当該情報端末のロック解除を行う制御部１５段と、を備え、所定入力操作は、タッチパネルＴにおける絶対的な操作の位置を限定せず、判定部１２は、タッチパネルＴにおける入力操作が行われた絶対的な位置を判定に用いない。【選択図】図２
2014187632.tif 000002
【特許請求の範囲】
【請求項１】
タッチパネルを有する情報端末であって、
前記タッチパネルに対して順次行われる複数の入力操作に関する操作情報を取得する取得手段と、
前記取得手段により取得された操作情報に基づき、各入力操作が所定入力操作のいずれかに該当するか否かを判定する判定手段と、
前記判定手段により判定された前記操作情報における複数の入力操作からなる入力パターンが、時系列の複数の所定入力操作から成る認証パターンに該当するか否かを判断する認証手段と、
前記認証手段により、前記入力パターンが前記認証パターンに該当すると判断された場合に、当該情報端末のロック解除を行う制御手段と、を備え、
前記所定入力操作は、タッチパネルにおける絶対的な操作の位置を限定せず、
前記判定手段は、タッチパネルにおける前記入力操作が行われた絶対的な位置を判定に用いない、
情報端末。
【請求項２】
前記制御手段は、前記判定手段により、前記入力操作が前記所定入力操作に該当すると判定された場合に、当該情報端末が備える装置に音又は振動を発生させる、
請求項１に記載の情報端末。
【請求項３】
前記認証パターンを予め記憶している認証パターン記憶手段を更に備え、
前記認証手段は、前記認証パターン記憶手段を参照して、前記入力パターンが前記認証パターンに該当するか否かを判断する、
請求項１または２に記載の情報端末。
【請求項４】
前記所定入力操作は、タッチパネルに対するタッチ操作、長押し操作、フリック操作を含む、
請求項１〜３のいずれか１項に記載の情報端末。
【請求項５】
タッチパネルを有する情報端末におけるロック解除方法であって、
前記タッチパネルに対して順次行われる複数の入力操作に関する操作情報を取得する取得ステップと、
前記取得ステップにおいて取得された操作情報に基づき、各入力操作が所定入力操作のいずれかに該当するか否かを判定する判定ステップと、
前記判定ステップにおいて判定された前記操作情報における複数の入力操作からなる入力パターンが、時系列の複数の所定入力操作から成る認証パターンに該当するか否かを判断する認証ステップと、
前記認証ステップにおいて前記入力パターンが前記認証パターンに該当すると判断された場合に、当該情報端末のロック解除を行う制御ステップと、を有し、
前記所定入力操作は、タッチパネルにおける絶対的な操作の位置を限定せず、
前記判定ステップにおいて、タッチパネルにおける前記入力操作が行われた絶対的な位置が判定に用いられない、
ロック解除方法。
【請求項６】
タッチパネルを有する情報端末に、
前記タッチパネルに対して順次行われる複数の入力操作に関する操作情報を取得する取得機能と、
前記取得機能により取得された操作情報に基づき、各入力操作が所定入力操作のいずれかに該当するか否かを判定する判定機能と、
前記判定機能により判定された前記操作情報における複数の入力操作からなる入力パターンが、時系列の複数の所定入力操作から成る認証パターンに該当するか否かを判断する認証機能と、
前記認証機能により、前記入力パターンが前記認証パターンに該当すると判断された場合に、当該情報端末のロック解除を行う制御機能と、を実現させ、
前記所定入力操作は、タッチパネルにおける絶対的な操作の位置を限定せず、
前記判定機能は、タッチパネルにおける前記入力操作が行われた絶対的な位置を判定に用いない、
ロック解除プログラム。
【発明の詳細な説明】
【技術分野】
【０００１】
本発明は、情報端末、ロック解除方法及びロック解除プログラムに関する。
【背景技術】
【０００２】
タッチパネルの機能を備えたディスプレイを有する情報端末が普及している。情報端末は、タッチパネルに対するタップ操作、長押し操作及びフリック操作等の入力操作を認識できる。また、他人による情報端末の操作や情報端末に記憶された情報のセキュリティを高めるために、情報端末では、入力操作の受付不可能なロック状態にすることが可能である。ロック状態の情報端末において、例えば、タッチパネルに表示されたテンキーに所定のパスコードを入力したり、タッチパネルに所定の図形を描く入力操作を行うことにより、ロック解除する技術が知られている。また、折りたたみ型の携帯端末において、閉状態においてパスワードの入力が可能な携帯端末が知られている。（例えば、特許文献１参照）。また、加速度センサにより振動パターンを検出したときにタッチパネルに対する電力供給を開始して、タッチパネルに対する所定の操作により使用状態に遷移する技術が知られている（例えば、特許文献２参照）。
【先行技術文献】
【特許文献】
【０００３】
【特許文献１】特開２０１０−２３９２２９号公報
【特許文献２】特開２０１２−２２１４３５号公報
【発明の概要】
【発明が解決しようとする課題】
【０００４】
従来の情報端末では、以下のような問題点があった。即ち、タッチパネルに表示されたテンキーに所定のパスコードを入力したり、タッチパネルに対して所定の図形を描いたりすることによりロック解除する方式では、ユーザは、タッチパネルを見ながら操作しなければならなかった。また、画面サイズが大きい情報端末では、所定のキーに対する入力操作をしたり、所定の図形を入力したりするために、ユーザは、一方の手で情報端末を保持した状態で他方の手で入力操作をしなければならず、両手での操作が必要とされていた。また、従来の方式では、所定位置に表示されたテンキーを操作したり、タッチパネル上の所定の位置に図形を描いたりすることにより、タッチパネルの表面にユーザの指による入力の軌跡が残ることとなり、ロック解除のための操作内容を他人に類推される危険性があった。
【０００５】
そこで、本発明は、上記問題点に鑑みてなされたものであり、タッチパネルを有する情報端末において、セキュリティレベルの向上を図るとともに、容易にロック解除のための操作が可能な情報端末、ロック解除方法及びロック解除プログラムを提供することを目的とする。
【課題を解決するための手段】
【０００６】
上記課題を解決するために、本発明の情報端末は、タッチパネルを有する情報端末であって、タッチパネルに対して順次行われる複数の入力操作に関する操作情報を取得する取得手段と、取得手段により取得された操作情報に基づき、各入力操作が所定入力操作のいずれかに該当するか否かを判定する判定手段と、判定手段により判定された操作情報における複数の入力操作からなる入力パターンが、時系列の複数の所定入力操作から成る認証パターンに該当するか否かを判断する認証手段と、認証手段により、入力パターンが認証パターンに該当すると判断された場合に、当該情報端末のロック解除を行う制御手段と、を備え、所定入力操作は、タッチパネルにおける絶対的な操作の位置を限定せず、判定手段は、タッチパネルにおける入力操作が行われた絶対的な位置を判定に用いない。
【０００７】
また、上記課題を解決するために、本発明のロック解除方法は、タッチパネルを有する情報端末におけるロック解除方法であって、タッチパネルに対して順次行われる複数の入力操作に関する操作情報を取得する取得ステップと、取得ステップにおいて取得された操作情報に基づき、各入力操作が所定入力操作のいずれかに該当するか否かを判定する判定ステップと、判定ステップにおいて判定された操作情報における複数の入力操作からなる入力パターンが、時系列の複数の所定入力操作から成る認証パターンに該当するか否かを判断する認証ステップと、認証ステップにおいて入力パターンが認証パターンに該当すると判断された場合に、当該情報端末のロック解除を行う制御ステップと、を有し、所定入力操作は、タッチパネルにおける絶対的な操作の位置を限定せず、判定ステップにおいて、タッチパネルにおける入力操作が行われた絶対的な位置が判定に用いられない。
【０００８】
また、上記課題を解決するために、本発明のロック解除プログラムは、タッチパネルを有する情報端末に、タッチパネルに対して順次行われる複数の入力操作に関する操作情報を取得する取得機能と、取得機能により取得された操作情報に基づき、各入力操作が所定入力操作のいずれかに該当するか否かを判定する判定機能と、判定機能により判定された操作情報における複数の入力操作からなる入力パターンが、時系列の複数の所定入力操作から成る認証パターンに該当するか否かを判断する認証機能と、認証機能により、入力パターンが認証パターンに該当すると判断された場合に、当該情報端末のロック解除を行う制御機能と、を実現させ、所定入力操作は、タッチパネルにおける絶対的な操作の位置を限定せず、判定機能は、タッチパネルにおける入力操作が行われた絶対的な位置を判定に用いない。
【０００９】
本発明の情報端末、ロック解除方法及びロック解除プログラムによれば、ユーザがタッチパネルに対して行った入力操作が所定入力操作に該当するか否かが判定され、複数の入力操作からなる入力パターンが所定の認証パターンに該当すると判断された場合に、当該情報端末のロック解除が行われる。ここで、所定入力操作は、タッチパネルにおける絶対的な位置を限定しておらず、入力操作の位置が判定に用いられないので、タッチパネル上における任意の位置において入力操作を行うことによりロック解除できるので、操作が容易であり、例えば、タッチパネルを目視しないでロック解除のための入力操作を行うことができる。また、タッチパネル上における任意の位置における入力操作によりロック解除できるので、入力操作の際にタッチパネルに残った指紋の軌跡によりロック解除のための操作を類推されることがない。これにより、セキュリティレベルが向上する。
【００１０】
また、本発明の情報端末では、制御手段は、判定手段により、入力操作が所定入力操作に該当すると判定された場合に、当該情報端末が備える装置に音又は振動を発生させる。
【００１１】
上記構成によれば、タッチパネルを目視しないでロック解除のための入力操作を行った場合であっても、入力操作が情報端末により検出されたことをユーザに認識させることが可能である。従って、容易にロック解除のための操作を実施できる。
【００１２】
また、本発明の情報端末では、認証パターンを予め記憶している認証パターン記憶手段を更に備え、認証手段は、認証パターン記憶手段を参照して、入力パターンが認証パターンに該当するか否かを判断する。
【００１３】
上記構成によれば、入力パターンが認証パターンに該当するか否かを適切に判定できる。
【００１４】
また、本発明の情報端末では、所定入力操作は、タッチパネルに対するタッチ操作、長押し操作、フリック操作を含む。
【００１５】
この場合には、タッチ操作等の容易な入力操作により、ロック解除の制御を実現できる。
【発明の効果】
【００１６】
タッチパネルを有する情報端末において、セキュリティレベルの向上を図るとともに、容易にロック解除のための操作が可能となる。
【図面の簡単な説明】
【００１７】
【図１】情報端末の構成を示す模式図である。
【図２】情報端末の機能的構成を示すブロック図である。
【図３】情報端末のハードブロック図である。
【図４】認証パターン記憶部の構成及び記憶されているデータの例を模式的に示す図である。
【図５】入力パターンの入力の例を示す図である。
【図６】ロック解除方法の処理内容を示すフローチャートである。
【図７】ロック解除の操作の際のタッチパネルの表示の例を示す図である。
【図８】ロック解除プログラムの構成を示す図である。
【発明を実施するための形態】
【００１８】
本発明に係る情報端末、ロック解除方法及びロック解除プログラムの実施形態について図面を参照して説明する。なお、可能な場合には、同一の部分には同一の符号を付して、重複する説明を省略する。
【００１９】
図１は、情報端末の構成を示す模式図である。図１（ａ）に示すように、情報端末１は、例えば、スマートフォンといった端末装置であって、タッチパネルＴを有する。また、情報端末１は、電源ＯＮ／ＯＦＦの操作及びスリープ状態からの復帰を指示するためのスイッチＢを有する。タッチパネルＴは、ディスプレイ及び当該ディスプレイに対する接触を検出するためのセンサの機能を併せ持つ装置である。このセンサは、例えば静電センサである。
【００２０】
図２は、情報端末１の機能的構成を示すブロック図である。図２に示すように、情報端末１は、機能的には、取得部１１（取得手段）、判定部１２（判定手段）、認証パターン記憶部１３（認証パターン記憶手段）、認証部１４（認証手段）及び制御部１５（制御手段）を備える。また、情報端末１は、タッチパネルＴにより構成される入力受付部２１及び表示部２２を含む。入力受付部２１は、前述のとおり、タッチパネルＴに対する入力操作が行われた位置を示す座標情報を取得でき、座標情報を含む操作情報を生成できる。表示部２２は、各種のテキスト及び画像等を表示する部分である。
【００２１】
図３は、情報端末１のハードウエア構成図である。情報端末１は、物理的には、図３に示すように、ＣＰＵ１０１、主記憶装置であるＲＡＭ１０２及びＲＯＭ１０３、データ送受信デバイスである通信モジュール１０４、ハードディスク、フラッシュメモリ等に例示される補助記憶装置１０５、入力デバイスであるタッチパネル及びキーボード等に例示される入力装置１０６、ディスプレイ等の出力装置１０７などを含むコンピュータシステムとして構成されている。図２に示した各機能は、図３に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。再び、図２を参照し、情報端末１の各機能部について詳細に説明する。
【００２２】
取得部１１は、タッチパネルに対して順次行われる複数の入力操作に関する操作情報を取得する部分である。具体的には、入力受付部２１が、ユーザによるタッチパネルＴに対する入力操作における入力位置の複数の座標情報を当該位置に対する操作が行われた時間に関する情報と共に取得する。そして、取得部１１が、入力受付部２１により取得された複数の入力位置の座標情報を操作情報として取得する。
【００２３】
判定部１２は、取得部１１により取得された操作情報に基づき、各入力操作が所定入力操作のいずれかに該当するか否かを判定する部分である。所定入力操作は、例えば、タッチパネルに対するタッチ操作、長押し操作、フリック操作といった操作である。これらの所定入力操作は、タッチパネルＴにおける絶対的な操作の位置を限定しない。そして、判定部１２は、各入力操作が所定入力操作のいずれかに該当するか否かを判定するに際して、タッチパネルＴにおける入力操作が行われた絶対的な位置を判定に用いない。従って、ユーザは、所定入力操作に該当する入力操作を行うために、タッチパネルＴにおける任意の位置において操作を実施できる。
【００２４】
認証パターン記憶部１３は、時系列の複数の所定入力操作から成る認証パターンを記憶している部分である。図４は、認証パターン記憶部１３の構成及び記憶されているデータの例を示す図である。図４に示すように、認証パターン記憶部１３は、タップ操作、長押し操作、右方向へのフリック操作及び左方向へのフリック操作といった時系列に順次行われる複数の所定入力操作を、認証パターンとして記憶している。
【００２５】
認証部１４は、判定部１２により判定された操作情報における複数の入力操作からなる入力パターンが、認証パターンに該当するか否かを判断する部分である。具体的には、認証部１４は、認証パターン記憶部１３に記憶されている認証パターン記憶部１３を参照して、ユーザにより行われた一連の入力操作からなる入力パターンが認証パターンに該当するか否かを判定する。
【００２６】
図５は、ユーザにより行われる入力操作からなる入力パターンの例を示す図である。図５に示される例では、まず、ユーザが符号Ａ１に示されるような入力操作を行うと、判定部１２は、この入力操作がタップ操作に該当するものとして判定する。続いて、ユーザが符号Ａ２に示されるような入力操作を行うと、判定部１２は、この入力操作が長押し操作に該当するものとして判定する。次に、ユーザが符号Ａ３に示されるような入力操作を行うと、判定部１２は、この入力操作が右方向へのフリック操作に該当するものとして判定する。そして、ユーザが符号Ａ４に示されるような入力操作を行うと、判定部１２は、この入力操作が左方向へのフリック操作に該当するものとして判定する。
【００２７】
このような、認証部１４は、順次行われた、タップ操作、長押し操作、右方向へのフリック操作及び左方向へのフリック操作からなる入力パターンを取得すると、取得した入力パターンが、認証パターン記憶部１３に記憶されている認証パターン（図４参照）に該当すると判断する。
【００２８】
制御部１５は、認証部１４により、入力パターンが認証パターンに該当すると判断された場合に、当該情報端末１のロック解除を行う部分である。具体的には、情報端末１が、スリープ状態を含むロック状態に制御されているときに、情報端末１に対してロック状態を解除して起動させるための操作（例えば、スイッチＢの押下）が行われると、情報端末１は、タッチパネルＴのセンサを起動させる。そして、情報端末１に対してロック状態を解除させるための入力パターンが入力され、認証部１４により入力パターンが認証パターンに該当すると判断されると、制御部１５は、情報端末１のロック解除を行う。
【００２９】
なお、入力パターンにおける一の入力操作が所定入力操作のいずれかに該当すると判定部１２により判定された場合に、制御部１５は、当該情報端末１が備える装置に音又は振動を発生させることとしてもよい。例えば、制御部１５は、所定のアラーム音をスピーカを介して発生させることとしてもよい。また、振動を発生させる装置は、例えば、バイブレータに例示される。このように制御することにより、タッチパネルＴを目視しないでロック解除のための入力操作を行った場合であっても、入力操作が情報端末１により検出されたことをユーザに認識させることが可能である。
【００３０】
次に、図６及び図７を参照して、情報端末１におけるロック解除方法について説明する。図６は、ロック解除方法の処理内容を示すフローチャートである。また、図７は、ロック解除の操作の際のタッチパネルＴの表示の例を示す図である。
【００３１】
情報端末１が、スリープ状態を含むロック状態に制御されている場合には、図７（ａ）に示すように、タッチパネルＴは起動されておらず、画面には何も表示されていない。このような状態において、情報端末１は、起動のための操作が行われたか否かを判定する（Ｓ１）。起動のための操作が行われたと判定された場合には、処理手順はステップＳ２に進められる。一方、起動のための操作が行われたと判定されなかった場合には、ステップＳ１の処理手順が繰り返される。
【００３２】
ステップＳ２において、情報端末１は、タッチパネルＴのセンサを起動する（Ｓ２）。続いて、情報端末１において、ロック解除のために認証パターンの入力を要求することが設定されているか否かを判定する（Ｓ３）。認証パターンの入力を要求することが設定されていると判定された場合には、情報端末１が図７（ｂ）に示すような認証パターンの入力をユーザに促す画面をタッチパネルＴに表示すると共に、処理手順はステップＳ４に進められる。一方、認証パターンの入力を要求することが設定されていると判定されなかった場合には、処理手順はステップＳ８に進められる。
【００３３】
ステップＳ４において、取得部１１は、タッチパネルＴに対して順次行われる複数の入力操作を入力受付部２１を介して受け付けて、受け付けた入力操作を操作情報として取得する（Ｓ４）。続いて、判定部１２は、操作情報に含まれる各入力操作が所定入力操作のいずれかに該当するか否かを判定する（Ｓ５）。
【００３４】
そして、認証部１４は、判定部１２により判定された複数の入力操作からなる入力パターンが、認証パターンに該当するか否かを判断する（Ｓ６）。入力パターンが認証パターンに該当すると判断された場合には、処理手順はステップＳ７に進められる。一方、入力パターンが認証パターンに該当すると判断されなかった場合には、処理手順はステップＳ４に戻る。
【００３５】
ステップＳ７において、制御部１５は、情報端末１のロック解除を行い、各種の入力が可能な状態に情報端末１を制御すると共に、図７（ｃ）に示すように、ロック解除された旨を示す画面をタッチパネルＴに表示させる（Ｓ７）。続いて、情報端末１は、各種操作の基点となる、いわゆるホーム画面をタッチパネルＴに表示させる（Ｓ８）。
【００３６】
次に、コンピュータを、本実施形態の情報端末１として機能させるためのロック解除プログラムについて説明する。図８は、ロック解除プログラム１ｍの構成を示す図である。
【００３７】
ロック解除プログラム１ｍは、ロック解除処理を統括的に制御するメインモジュール１０ｍ、取得モジュール１１ｍ、判定モジュール１２ｍ、認証モジュール１４ｍ及び制御モジュール１５ｍを備えて構成される。そして、各モジュール１１ｍ，１２ｍ，１４ｍ，１５ｍにより、情報端末１における各機能部１１，１２，１４，１５のための各機能が実現される。なお、ロック解除プログラム１ｍは、通信回線等の伝送媒体を介して伝送される態様であってもよいし、図８に示されるように、記録媒体１ｄのプログラム格納領域１ｒに記憶される態様であってもよい。
【００３８】
以上説明した本実施形態の情報端末１、ロック解除方法及びロック解除プログラム１ｍでは、ユーザがタッチパネルに対して行った入力操作が所定入力操作に該当するか否かが判定され、複数の入力操作からなる入力パターンが所定の認証パターンに該当すると判断された場合に、当該情報端末のロック解除が行われる。ここで、所定入力操作は、タッチパネルにおける絶対的な位置を限定しておらず、入力操作の位置が判定に用いられないので、タッチパネルＴにおける任意の位置において入力操作を行うことによりロック解除できるので、操作が容易であり、例えば、タッチパネルＴを目視しないでロック解除のための入力操作を行うことができる。また、タッチパネルＴの任意の位置における入力操作によりロック解除できるので、入力操作の際にタッチパネルに残った指紋の軌跡によりロック解除のための操作を類推されることがない。これにより、セキュリティレベルが向上する。
【００３９】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００４０】
１…情報端末、１１…取得部、１２…判定部、１３…認証パターン記憶部、１４…認証部、１５…制御部、１ｄ…記録媒体、１ｍ…ロック解除プログラム、１０ｍ…メインモジュール、１１ｍ…取得モジュール、１２ｍ…判定モジュール、１４ｍ…認証モジュール、１５ｍ…制御モジュール、２１…入力受付部、２２…表示部、Ｔ…タッチパネル。
【図１】
2014187632.tif 000003
【図２】
2014187632.tif 000004
【図３】
2014187632.tif 000005
【図４】
2014187632.tif 000006
【図５】
2014187632.tif 000007
【図６】
2014187632.tif 000008
【図８】
2014187632.tif 000009
【図７】
2014187632.tif 000010